(57)【要約】      （修正有）【課題】男性用、女性用ズボンの外側、内側の両サイドを縦にスリットし面ファスナーをもって容易に接続できるズボンに、更に尿漏れを防止パットを容易に挿入、又は取り外せることが出来るズボンと尿漏れ防止パットを提供する。【解決手段】通常のウエスト部分を一周するベルトの帯状弾性体又はゴムからなる男性用、女性用ズボン１を設け、そのズボン１の外側２の両サイドを縦に下部までスリット３し、内側の股下４の両サイドを縦に下部までスリット５し、ズボン１を前側と後側にズボン１の上部をのぞいて完全に分離するように設け、スリットした内側、外側の端面を面ファスナー８を縫い付け開閉自在にし、開いた際に尿漏れ防止用パットを容易に挿入、取外しできることを特徴とする男性用、女性用ズボンと尿漏れ防止用パット。【選択図】図１
0003178480.tif 000002
【実用新案登録請求の範囲】
【請求項１】
男性用、女性用のズボン１を設け、ズボン１の外側２の両サイドを縦にスリット３し、又は内側の股下４の両サイドを縦にスリット５し、前側６と後側７の端面をマジックテープ又はファスナー８を縫い付け、容易に開閉自在できるズボン１に尿漏れ防止パット９を容易に挿入又は取外すことが出来ることを特徴とする両サイドの外側と内側が開閉するズボンと尿漏れ防止パット。
【請求項２】
ズボンを着用したまま、ズボンの外側又は内側のスリット部をマジックテープ又はファスナーで開閉して、そのズボンの中に尿漏れ防止パットを容易に交換できることを特徴とする請求項１記載の両サイドと内側が開閉するズボンと尿漏れ防止パット。
【考案の詳細な説明】
【技術分野】
【０００１】  本考案は、パンツ又はズボンの衣類、即ちパンツやズボン等着けたままで着用できるように工夫し、その両サイドと内側が縫い合わされてなく前側と後ろ側をマジックテープ又はファスナーで開閉自在にし、尿漏れ防止パンツを挿入し、又、尿漏れした際に、尿漏れ防止パンツを容易に脱げて、又、交換できるような構造にした、両サイドと内側が開閉するズボンと尿漏れ防止用パンツ等に関する。
【背景技術】
【０００２】  通常のズボン等の衣類は、衣類が腰からずり落ちないようにするために、ウエスト部分を一周するゴム等の帯状弾性体が設けられたものや、ベルトで締めるもの、サスペンダ等で吊るすもの等であった。
従来のズボンとして、作業用、スポーツ用、または介護用の目的でズボンの着脱の容易性を図るために、脚部の外側の側方線に沿って開口を設けるようにしたものは多数提案されている。
このような着脱の容易性を図るためのズボンの開口は、必ずズボンの上端及び下端の両端に渡り延びているか、または上端または下端のいずれかまで延びている。又、脚部の外側の側方線に沿って開口を設けるようにしたものも提案されている。
【考案の概要】
【考案が解決しようとする課題】
【０００３】  上記考案を解決するために、上記の男性用、女性用ズボンにおいて、脚部の外側の側方線に沿って下端までスリットをいれて開口部を設けるようにしたものと、股下から足の内側から下端にかけてスリットを入れて開口部を入れることにより開放を自在とし、着用する時はズボンを履く要領で着用でき、尿漏れ防止パットをズボンを着用した状態で交換できるように構成して成ることを目的とするズボンを提案することである。
【課題を解決するための手段】
【０００４】  上記考案を解決するために、従来の男性用、女性用のズボン１を設け、そのズボン１の脚部の外側２の側方線に沿って下端までスリット３を設け、内側の股下４から足の内側の下端にかけてスリット５を設けることにより、ズボン１を前側６と後側７に分離し、その前側６と後側７の端面をマジックテープ又はファスナー８を縫いつけて開閉自在とし、着用する時はズボン１を着用し、尿漏れ防止パット９を挿入し、交換時にはマジックテープ又はファスナー８をはずし、前側６と後側７を開き尿漏れ防止パット９を交換するように構成して成ることを特徴とした両サイドの外側と内側が前側と後側に開閉するズボンと尿漏れ防止パットを提案することである。
【考案の効果】
【０００５】  本考案は以上のように、男性用、女性用のズボンにおいて、脚部の外側の側方線に沿って下端までスリットを設け、又、内側の股下から足の内側の下端にかけてスリットを設けることにより、外出時等において、ズボンを着けたままマジックテープ又はファスナーを開閉し、ズボンの前側と後側を開き、尿漏れ防止パット取り外し、新しい尿漏れ防止パットを容易に交換できる効果が期待できる。
【図面の簡単な説明】
【０００６】
【図１】本考案に係る尿漏れ防止パンツの展開図
【図２】本考案に係るズボンの正面図。
【図３】本考案に係るズボンの右側面図
【図４】本考案に係る他のズボンの正面図
【考案を実施するための形態】
【０００７】  着用に際しては、従来の男性用、女性用のズボン、を設け、そのズボン、パンツの脚部の外側の側方線に沿って下端までスリットを設け、又、内側の股下から足の内側の下端にかけてスリットを設けることにより、ズボンの前側と後側に分離し、その端部をマジックテープ又はファスナーを縫い付け、開閉自在とし、着用する時はズボンを履く要領で着用し、使用時はズボンを着用した状態で、マジックテープ又はファスナーを外し、前側と後側を開き、尿漏れ防止パットを挿入又は交換できるような構成にした。
【産業上の利用可能性】
【０００８】  高齢者が増加の傾向にあり、尿漏れ防止用のためのズボンと外出時にでも容易に交換可能な尿漏れ防止パットの必要性が今後ますます増加の傾向があり利用価値がある。
【符号の説明】
【０００９】  １  ズボン
２  外側
３  スリット
４  内側の股下
５  スリット
６  前側
７  後側
８  マジックテープ又はファスナー
９  尿漏れ防止パット
１０  マジックテープ
【図１】
0003178480.tif 000003
【図２】
0003178480.tif 000004
【図３】
0003178480.tif 000005
【図４】
0003178480.tif 000006
【手続補正書】
【提出日】平成24年7月2日(2012.7.2)
【手続補正１】
【補正対象書類名】明細書
【補正対象項目名】全文
【補正方法】変更
【補正の内容】
【考案の詳細な説明】
【技術分野】
【０００１】  本考案は、パンツ又はズボンの衣類、即ちパンツやズボン等着けたままで着用できるように工夫し、その両サイドと内側が縫い合わされてなく前側と後ろ側を面ファスナーで開閉自在にし、尿漏れ防止パンツを挿入し、又、尿漏れした際に、尿漏れ防止パンツを容易に脱げて、又、交換できるような構造にした、両サイドと内側が開閉するズボンと尿漏れ防止用パット等に関する。
【背景技術】
【０００２】  通常のズボン等の衣類は、衣類が腰からずり落ちないようにするために、ウエスト部分を一周するゴム等の帯状弾性体が設けられたものや、ベルトで締めるもの、サスペンダ等で吊るすもの等であった。従来のズボンとして、作業用、スポーツ用、または介護用の目的でズボンの着脱の容易性を図るために、脚部の外側の側方線に沿って開口を設けるようにしたものは多数提案されている。  このような着脱の容易性を図るためのズボンの開口は、必ずズボンの上端及び下端の両端に渡り延びているか、または上端または下端のいずれかまで延びている。又、脚部の外側の側方線に沿って開口を設けるようにしたものも提案されている。
【考案の概要】
【考案が解決しようとする課題】
【０００３】  上記考案を解決するために、上記の男性用、女性用ズボンにおいて、脚部の外側の側方線に沿って下端までスリットをいれて開口部を設けるようにしたものと、股下から足の内側から下端にかけてスリットを入れて開口部を入れることにより開放を自在とし、着用する時はズボンを履く要領で着用でき、尿漏れ防止パットをズボンを着用した状態で交換できるように構成して成ることを目的とするズボンを提案することである。
【課題を解決するための手段】
【０００４】  上記考案を解決するために、従来の男性用、女性用のズボン１を設け、そのズボン１の脚部の外側２の側方線に沿って下端までスリット３を設け、内側の股下４から足の内側の下端にかけてスリット５を設けることにより、ズボン１を前側６と後側７に分離し、その前側６と後側７の端面を面ファスナー８を縫いつけて開閉自在とし、着用する時はズボン１を着用し、尿漏れ防止パット９を挿入し、交換時には面ファスナー８をはずし、前側６と後側７を開き尿漏れ防止パット９を交換するように構成して成ることを特徴とした両サイドの外側と内側が前側と後側に開閉するズボンと尿漏れ防止パットを提案することである。
【考案の効果】
【０００５】  本考案は以上のように、男性用、又は女性用のズボンにおいて、脚部の外側の側方線に沿って下端までスリットを設け、内側の股下から足の内側の下端にかけてスリットを設けることにより、外出時等において、ズボンを着けたまま面ファスナーを開閉し、ズボンの前側と後側を開き、尿漏れ防止パット取り外し、新しい尿漏れ防止パットを容易に交換できる効果が期待できる。
【図面の簡単な説明】
【０００６】
【図１】本考案に係る男性用又は女性用ズボンの正面図
【図２】本考案に係る男性用又は女性用ズボンの右側面図。
【図３】本考案に係る他のズボンの正面図。
【図４】本考案の尿漏れ防止パットの展開図
【考案を実施するための形態】
【０００７】  着用に際しては、従来の男性用、女性用のズボン、を設け、そのズボン、パンツの脚部の外側の側方線に沿って下端までスリットを設け、内側の股下から足の内側の下端にかけてスリットを設けることにより、ズボンの前側と後側に分離し、その端部を面ファスナーを縫い付け、開閉自在とし、着用する時はズボンを履く要領で着用し、使用時はズボンを着用した状態で、面ファスナーを外し、前側と後側を開き、尿漏れ防止パットを挿入又は交換できるような構成にした。
【産業上の利用可能性】
【０００８】  高齢者が増加の傾向にあり、尿漏れ防止用のためのズボンと外出時にでも容易に交換可能な尿漏れ防止パットの必要性が今後ますます増加の傾向があり利用価値がある。
【符号の説明】
【０００９】  １  ズボン  ２  外側  ３  スリット  ４  内側の股下  ５  スリット  ６  前側  ７  後側  ８  面ファスナー  ９  尿漏れ防止パット
【手続補正２】
【補正対象書類名】実用新案登録請求の範囲
【補正対象項目名】全文
【補正方法】変更
【補正の内容】
【実用新案登録請求の範囲】
【請求項１】
男性用のズボン又は女性用のズボン１を設け、ズボン１の外側２の両サイドを縦にスリット３し、内側の股下４の両サイドを縦にスリット５し、前側６と後側７のスリットした端面を面ファスナー８を縫い付け、容易に開閉自在できるズボン１に尿漏れ防止パット９を容易に挿入又は取外すことが出来ることを特徴とする両サイドの外側と内側が開閉するズボンと尿漏れ防止パット。
【手続補正３】
【補正対象書類名】図面
【補正対象項目名】全図
【補正方法】変更
【補正の内容】
【図１】
0003178480.tif 000007
【図２】
0003178480.tif 000008
【図３】
0003178480.tif 000009
【図４】
0003178480.tif 000010